(57)【要約】      （修正有）【課題】作業効率の向上することができる建築仮設工事のシート用結束バンドを提供する。【解決手段】自在に曲がるバンドの片方をバンドの先端とし、そこにバンド先端のツマミ４、それに続いて鋸歯凸型の形成するバンドの一部分が３があり、さらにハトメの穴よりも大きい円形の突起６と、短い寸法の方がハトメの穴よりも小さく長い寸法の方がハトメの穴よりも大きい楕円の突起５、もう一方の端にはＵ字型の溝の中に鋸歯凹型を有するバンドの引抜防止機能を有する部分７と最後にバンド末端のツマミ９を特徴とする。【選択図】図１
0003187130.tif 000002
【実用新案登録請求の範囲】
【請求項１】
自在に曲がるバンドの片方をバンドの先端とし、そこにバンド先端のツマミ、それに続いて鋸歯凸型の形成するバンドの一部分があり、さらに本考案が固定したい隣合うシートのハトメ位置に合わせて配置した２カ所の突起、もう一方の端にはＵ字型の溝の中に鋸歯凹型を有するバンドの引抜防止機能を有する部分と最後にバンド末端のツマミを特徴とする建築仮設工事のシート用結束バンド。
【考案の詳細な説明】
【技術分野】
【０００１】本考案は建築仮設工事のシート用結束バンドに関するものである。
【背景技術】
【０００２】従来の足場に張るシート類に関してはシート結束紐をシート類のハトメを通して結束紐を蝶々結びにして使用していた。建築仮設工事のシート用結束バンドはなかった。
【先行技術文献】
【特許文献】
【０００３】
【特許文献１】実用新案登録第３０８２８０１号
【非特許文献】
【０００４】
【非特許文献１】ヘラマンタイトン総合カタログ‘１１−‘１３年度版Ｐ３２〜Ｐ７３  ヘラマンタイトン（株）
【非特許文献２】モノタロウ間接資材総合カタログ  ＲＥＤＢＯＯＫ  ｖｏｌ．８  Ｐ２５１シート紐  （株）ＭｏｎｏｔａＲＯ
【考案の概要】
【考案が解決しようとする課題】
【０００５】従来は次のような欠点があった。
足場のシートを張る場合、一枚のシートの四辺にあるハトメの穴にシート紐を通し、次に隣り合うシートのハトメの穴にもシート紐を通して両方のシート紐の端部を足場の建地に巻付けて蝶々結びで結びつける。その作業は全て手作業となるために、作業効率が悪かった。
本考案は、以上のような従来の欠点を鑑み、建築仮設工事のシート用結束バンドを提供して作業効率の向上を目的としている。
【課題を解決するための手段】
【０００６】上記目的を達成するために、本考案は、自在に曲がるバンドの片方をバンドの先端とし、そこにバンド先端のツマミ、それに続いて鋸歯凸型の形状のバンドがあり、さらにシートが風等で引っぱられてシートにハトメが移動してシート同士に隙間ができる事を阻止する突起が２カ所シートのハトメ位置に合わせて配置し、もう一方の端にはＵ字型の溝の中に鋸歯凹型を有するバンドの引抜防止機能を有する部分とで建築仮設工事のシート用結束バンドを構成している。
【考案の効果】
【０００７】以上の説明から明らかなように、本考案にあっては次に列挙する効果が得られる。
（１）最初のシートのハトメにバンド先端のツマミの方から通しハトメの穴よりも大きい符号６に当たるとシートのハトメが符号７の方に移動する事を阻止する。
（２）次に隣りあうシートのハトメを通して符号５に当たるが符号５は楕円の形になっていて楕円の短い寸法の方はハトメの穴よりも小さい寸法でハトメの穴は通るので、楕円の長い寸法の方がハトメの穴よりも少し大きくて符号５を少し傾けるとハトメの穴が通り、通ったあと元に戻すとハトメの穴に長い寸法の方がハトメの穴に当たり後戻りでき無ようになる。但し、この結束バンドをはずす場合は同じように楕円の長い寸法の方を傾ければ、結束バンドをはずす事が出来る。
（３）そして、足場の建地鋼管を一周まわした位置にある鋸歯凸型を形成するバンド部分をＵ字型の溝に落し込み、取っ手部を引っぱるとバンドが締り溝の内部ある鋸歯凹部が上記の鋸歯凸部とお互いにかみ合って、バンドに引抜の力が加わっても抜けなくなる。
【図面の簡単な説明】
【０００８】
【図１】は上から見た結束バンドの平面図
【図２】は横から見た結束バンドの立面図
【図３】は符号４をイーイから見た正面図
【図４】は符号５をローロから見た断面図
【図５】は符号６をハーハから見た断面図
【図６】は符号７をニーニから見た断面図
【図７】は符号７をホーホから見た断面図
【図８】は結束バンドを符号９に巻き付け始めた時の平面図
【図９】は結束バンドを符号９に固定した時の平面図
【図１０】はバンドを固定する順序の参考図
【考案を実施するための形態】
【０００９】以下、本考案の実施の形態を図に基づいて説明する。
【実施例１】
【００１０】図９は、ベルトをＵ字型の溝の中に落し込んで固定した時の平面図である。
【実施例２】
【００１１】図面８は、ベルトを外した時の平面図で。
【実施例３】
【００１２】図１、図面２は、ベルトをまっすぐ伸ばした時の平面図と立面図である。
【実施例４】
【００１３】図３、図４、図５はバンドの先端ツマミ、楕円形と円形の突起である。
【実施例５】
【００１４】図１０は、バンドを固定する順序の参考図で、上の図から自在に曲がる円形バンドを最初のシートのハトメ穴を通し符号６がハトメの当たるまで引っぱり、次の隣合うシートのハトメ穴を符号５まで通し楕円形の突起の長い寸法の方を傾けてハトメを通しハトメが符号４の方に行かないようにして、足場の建地鋼管を一周廻してＵ字型溝の中に鋸歯凸型を形成するバンド部分を落し込み、次に真ん中の図のようにツマミを引っぱってバンドを建地に締付けて、下の図のようにバンドを固定する。
【符号の説明】
【００１５】  １  長方形の断面をしたバンド部分
２  円形の断面をしたバンド部分
３  鋸歯凸型を形成するバンド部分
４  バンド先端のツマミ
５  シートのハトメ穴がずれて符号３の方に移動しないように阻止する楕円形の突起
６  シートのハトメ穴がずれて符号７の方に移動しないように阻止する円形の突起
７  符号４と符号８の鋸歯凹凸型がお互いにかみ合って、バンドに引き抜きの力が加わ      った時にバンドが引き抜かれるのを防止する部分
８  鋸歯凹型を形成するＵ字型の溝の内部
９  バンド末端のツマミ
１０  足場の建地鋼管（破線部、本考案対象外）
【図１】
0003187130.tif 000003
【図２】
0003187130.tif 000004
【図３】
0003187130.tif 000005
【図４】
0003187130.tif 000006
【図５】
0003187130.tif 000007
【図６】
0003187130.tif 000008
【図７】
0003187130.tif 000009
【図８】
0003187130.tif 000010
【図９】
0003187130.tif 000011
【図１０】
0003187130.tif 000012
【手続補正書】
【提出日】平成25年8月14日(2013.8.14)
【手続補正１】
【補正対象書類名】実用新案登録請求の範囲
【補正対象項目名】全文
【補正方法】変更
【補正の内容】
【実用新案登録請求の範囲】
【請求項１】
自在に曲がるバンドの片方をバンドの先端とし、そこにバンド先端のツマミ、それに続いて鋸歯凸型の形成するバンドの一部分があり、さらにハトメの穴よりも大きい円形の突起と、短い寸法の方がハトメの穴よりも小さく長い寸法の方がハトメの穴よりも大きい楕円の突起、もう一方の端にはＵ字型の溝の中に鋸歯凹型を有するバンドの引抜防止機能を有する部分と最後にバンド末端のツマミを特徴とする建築仮設工事のシート用結束バンド。